(57)【特許請求の範囲】
【請求項１】
電力供給源と、
該電力供給源に平行に結合され、前記電気供給源に対してそれぞれ順方向に接続される少なくとも１つの発光ダイオードをそれぞれ含む、複数の電気的に伝導性のある枝と、
複数の分路とを含み、
該分路のそれぞれは、第１の発光ダイオードの陽極端子を、異なる枝にある対応する発光ダイオードの陰極端子に、結合し、発光ダイオードの対応するセットが、それらに対応する結合分路と共に、セルを画成し、該枝は、該分路と共に、特定可能な格子配列で結合された、照明システム。
【請求項２】
該セルは、該分路が第１の発光ダイオードの陽極端子を、該第１の発光ダイオードから２ｎ枝だけ離れた発光ダイオードの陰極端子に、結合するように、連続配列で互いに結合された照明システムであって、ｎは該連続配列内のセル番号である、請求項１記載の照明システム。
【請求項３】
該セルは、該分路が第１の発光ダイオードの陽極端子を、該第１の発光ダイオードから２ｎ−１枝だけ離れた発光ダイオードの陰極端子に、結合するように、連続配列で互いに結合された照明システムであって、ｎは該連続配列内のセル番号である、請求項１記載の照明システム。
【請求項４】
該セルは、該分路が第１の発光ダイオードの陽極端子を、該第１の発光ダイオードから２Ｋ−ｎ枝だけ離れた発光ダイオードの陰極端子に、結合するように、連続配列で互いに結合された照明システムであって、Ｋは該照明システム内の該セルの数であり、ｎは該連続配列内のセル番号である、請求項１記載の照明システム。
【請求項５】
該セルのそれぞれは、Ｎ個の入力ノード端子、及びＮ個の出力ノード端子を含む、請求項１記載の照明システム。
【請求項６】
該セルにおいて、構造の上半分の各入力ノード端子は、構造の下半分の各入力ノード端子と共に、同一の出力ノード端子に接続された、請求項５記載の照明システム。
【請求項７】
該セルにおいて、構造の上半分の各出力ノード端子は、構造の下半分の各出力ノード端子と共に、同一の入力ノード端子に接続された、請求項５記載の照明システム。
【請求項８】
該分路は、前記電気供給源に対して順方向に接続される発光ダイオードを含む、請求項１記載の照明システム。
【請求項９】
該枝は、電流調整素子を更に含む、請求項１記載の照明システム。
【請求項１０】
該電流調整素子は、抵抗である、請求項９記載の照明システム。
【請求項１１】
該枝のそれぞれに対して、該抵抗が、最初の素子である、請求項１０記載の照明システム。
【請求項１２】
該枝のそれぞれに対して、該抵抗が、最後の素子である、請求項１０記載の照明システム。
【発明の詳細な説明】
【０００１】
本発明は、一般的に照明システムに係り、より詳細には、照明源として使用される発光ダイオードに対する改善されたアレイに関する。
【０００２】
発光ダイオード（ＬＥＤ）は、半導体デバイスの種であり、具体的には、電流の誘導に基づき電磁放射を放出するｐ−ｎ接合である。一般的には、発光ダイオードは、適切に選択されたガリウム−ヒ素−リンの化合物である半導体材料を含む。ヒ素とリンとの比を変更することによって、発光ダイオードによって放出される光の波長が調整されることができる。
【０００３】
半導体材料及び光学技術の発展により、発光ダイオードは、照明目的に対して徐々に使用されてきている。例えば、高輝度の発光ダイオードは、現代では、自動車信号、交通ライト、サイン、広域ディスプレイ等において使用されている。これらのアプリケーションの大部分において、複数の発光ダイオードは、大量のルーメンを生成するため、アレイ構造で接続される。
【０００４】
図１は、直列にｍ個接続された発光ダイオード１の一般的な配列を示す。電力供給源４は、発光ダイオードに、ダイオードの電流信号の流れを制御する抵抗Ｒ1を経由して高圧信号を供給する。このように接続された発光ダイオードは、電力供給源に、高いレベルの効率と低い量の熱応力を以って、つながっている。
【０００５】
発光ダイオードは、時々、故障するだろう。発光ダイオードの破損は、開路故障か短絡故障のいずれかであろう。例えば、短絡故障モードにおいて、発光ダイオード２は、短絡として機能し、電流が光を発生することなく発光ダイオード２を通って発光ダイオード１から発光ダイオード２まで流れることを許容する。他方、開路モードにおいては、発光ダイオード２は、開路として機能し、図１に示されたアレイ全体が消える原因となる。
【０００６】
かかる状況を対処するため、発光ダイオードの他の配列が提案された。例えば、図２Ａは、発光ダイオードのその他の一般的な配列を示し、平行に接続された１０，２０，３０、及び４０のような発光ダイオードの複数の枝から成る。各枝は、直列に接続された発光ダイオードを含む。例えば、枝１０は、直列にｎ1接続された発光ダイオード１１を含む。電力供給源１４は、発光ダイオードに、抵抗Ｒ2を経由して電流信号を提供する。
【０００７】
このように接続された発光ダイオードは、図１に示した配列により接続された発光ダイオードに比べて、より高いレベルの信頼性を有する。開路故障モードにおいて、一の枝における発光ダイオードの故障は、その枝のすべての発光ダイオードが消える原因となり、残りの枝の発光ダイオードに重大な影響を与えることがない。しかし、特定の枝の全ての発光ダイオードが単一の発光ダイオードの開路故障によって消されるという事実は、依然として望ましくない。短絡故障モードにおいて、第１の枝の発光ダイオードの故障は、その枝が他の枝と比べてより大きな電流の流れを有する原因となる。単一の枝を通る増加された電流の流れは、残りの枝における発光ダイオードと比較して異なるレベルで照明される原因となり、これも望ましくない結果となる。
【０００８】
発光ダイオードの更に他の配列は、かかる問題点を除去すべく提案されてきた。図２Ｂは、先行技術の照明システムによって使用されるような発光ダイオードのその他の一般的な配列を示す。図２Ａに示された配列においてと同様に、図２Ｂは、平行に接続された５０，６０，７０、及び８０のような４つの発光ダイオードの枝を更に含む。各枝は、直列に接続された発光ダイオードを更に含む。例えば、枝５０は、直列にｎ5接続された発光ダイオード５１を含む。電力供給源５４は、発光ダイオードに、抵抗Ｒ3を経由して電流信号を提供する。
【０００９】
図２Ｂに示す配列は、発光ダイオードの近傍の枝との間に分路を含む。例えば、分路５５は、枝５０の発光ダイオード５１及び発光ダイオード５２間と、枝６０の発光ダイオード６１及び発光ダイオード６２間とに接続される。同様に、分路７５は、枝７０の発光ダイオード７１及び発光ダイオード７２間と、枝８０の発光ダイオード８１及び発光ダイオード８２間とに接続される。
【００１０】
このように接続された発光ダイオードは、図１又は図２Ａに示した配列により接続された発光ダイオードに比べて、より高いレベルの信頼性を有する。これは、開路故障モードにおいて、枝全体が、その枝の単一の発光ダイオードの故障に起因して消えないためである。代わりに、電流は、故障の発光ダイオードを迂回するため分路を経由して流れる。
【００１１】
短絡故障モードにおいて、故障した発光ダイオードは、電圧を全く有しないことにより、電流の全てが故障した発光ダイオードを有する枝を通って流れる原因となる。例えば、発光ダイオード５１が短絡するとき、電流は、上側の枝を通って流れる。従って、図２Ｂに示すような配列において、単一の発光ダイオードが短絡するとき、他の枝のそれぞれにおける対応する発光ダイオード６１，７１、及び８１も消える。
【００１２】
図２Ｂに示す配列は、他の問題点をも体験する。例えば、配列の発光ダイオードの全てが同一の輝度を有することを保証すべく、配列は、平行に接続された発光ダイオードが整合された順電圧特性を有することを必要とする。例えば、発光ダイオード５１，６１，７１、及び８１、平行に接続されているが、精密に整合された順電圧特性を有さねばならない。さもなければ、発光ダイオードを通って流れる電流信号が変化し、異なる輝度を有する発光ダイオードとなってしまう。
【００１３】
輝度が変化するという問題点を防止すべく、各発光ダイオードの順電圧特性は、その使用前に試験されねばならない。更に、同様の電圧特性を備えた発光ダイオードのセットは、厳密にグループ化されたセット（すなわち、順電圧特性が略同一である発光ダイオードのセット）に貯蔵されねばならない。発光ダイオードの厳密にグループ化されたセットは、その後、互いに平行な発光ダイオード配列で設置されねばならない。この貯蔵プロセスは、コストがかさみ、時間を浪費し、非効率である。
【００１４】
種々の発光ダイオード配列は、代理人事務番号755-003、755-004で指定される出願人の係属中の出願において提案され、その全体を参照により結合させる。しかし、先行技術の問題点から悩まされることがない改善された発光ダイオードの配列に対する更なる必要性が存在する。
【００１５】
本発明の一実施態様においては、照明システムは、複数の発光ダイオードを含む。照明システムは、複数の平行に設置された電導性の枝を通って、電流信号を駆動する電力供給源を更に含む。一の枝の各発光ダイオードは、残りの枝の対応する発光ダイオードと共にセルユニットを形成する。各セルにおいて、一の枝の各発光ダイオードの陽極は、近傍の枝の対応する発光ダイオードの陰極に、分路を経由して結合される。各分路は、その他の発光ダイオードを更に含む。枝は、分路と共に、特定可能な格子配列で結合される。
【００１６】
一実施態様によると、Ｋの複数のセルは、連続配列で共に結合される。各セルにおいて、分路は、第１の発光ダイオードの陽極を、第１の発光ダイオードから２ｎ枝だけ離れた発光ダイオードの陰極端子に、結合する。ここで、ｎは、セルの順番を定義し、ｎ＝１からｎ＝Ｋの範囲内である。その他の実施態様では、分路は、第１の発光ダイオードの陽極を、第１の発光ダイオードから２ｎ−１枝だけ離れた発光ダイオードの陰極端子に、結合し、更にその他の実施態様では、分路は、第１の発光ダイオードの陽極を、第１の発光ダイオードから２Ｋ−ｎ枝だけ離れた発光ダイオードの陰極端子に、結合する。
【００１７】
その他の実施態様では、各セルは、Ｎ個の入力ノード端子、及びＮ個の出力ノード端子を含む。従って、各セルにおいて、構造の上半分の各入力ノード端子は、構造の下半分の各入力ノード端子と共に、同一の出力ノード端子に接続される。或いは、各セルにおいて、構造の上半分の各出力ノード端子は、構造の下半分の各出力ノード端子と共に、同一の入力ノード端子に接続される。
【００１８】
本発明による発光ダイオードの配列は、異なる順電圧特性を有する発光ダイオードの使用を可能にする一方で、配列内の発光ダイオードの全てが、略同一の輝度を有することを保証する。効果的には、本発明の照明システムは、枝の一の発光ダイオードの故障に拠って、その枝の残りの発光ダイオードが消えないように構成される。
【００１９】
好ましい実施態様では、照明システムは、各枝の最初と最後で結合される抵抗のような電流調整素子を含む。
【００２０】
本発明は、添付図面を参照して以下の説明により、より理解されることになるだろう。
【００２１】
一般的に、本発明の発光ダイオードの配列は、種々の実施態様（その幾つかは、図３乃至図７において図示され、以下で詳細に説明される）により、特定可能な格子関係によって支配される構成で発光ダイオードを接続する。図３乃至図７に示された回路は、発光ダイオードが種々の構成によって接続されることができる幾つかの方法を示すが、本発明は、その観点において、図示された構成によって限定されることを意図するものではない。
【００２２】
図３は、照明システムによって使用されているような、本発明の一実施態様による発光ダイオードの配列１００を示す。照明システムは、複数の電気的に伝導性のある枝を含む。配列１００の各セルは、Ｎの枝を含む。示された実施態様では、Ｎ＝８であり、配列１００は、枝１０１（ａ）乃至１０１（ｈ）として指示されるように、８個の枝を含む。しかし、本発明は、その観点において、かかる配列の枝の数、或いは以下に説明される他の配列のいずれにも限定されることを意図するものでない。
【００２３】
各枝は、直列に接続された発光ダイオードを有する。（以下に詳細に説明されるが、結合用分路の発光ダイオードと共に）全ての枝の対応する発光ダイオードのセットは、セルを画成する。図３に示された配列は、発光ダイオードの連続セル１０２、１０３を示す。本発明の種々の実施態様により、整数であるＫ個のセルが形成されてよいことは、注意されたい。
【００２４】
配列１００の各セル１０１は、枝１０１（ａ）の第１の発光ダイオード（発光ダイオード１１０のような発光ダイオード）、枝１０１（ｂ）の第１の発光ダイオード等の第１の発光ダイオードであって、枝１０１（ｈ）の第１の発光ダイオード（発光ダイオード１１７のような発光ダイオード）までの第１の発光ダイオードを含む。発光ダイオードを有する枝のそれぞれは、最初に（すなわち、第１のセルの前で）抵抗（抵抗１０４（ａ）乃至１０４（ｈ））を経由して平行に結合されている。抵抗は、好ましくは、同一の抵抗値を有し、同一の電流量が各枝を経由して受け入れられることを保証する。
【００２５】
各枝の発光ダイオードの陽極端子は、異なる枝の対応する発光ダイオードの陰極端子に結合される。かかる接続は、本発明の一実施態様によると、その他の発光ダイオードを含む分路によってなされる。セルに依存して、分路は、第１の枝から第２の枝に接続されるが、第２の枝とは、第１の枝から特定可能な枝数だけ離れた枝である。図３に示す実施態様では、各分路は、第１の枝の発光ダイオードの陽極端子に接続され、第２の枝の発光ダイオードの陰極端子に接続され、第２の枝は、第１の枝から2ｎ個離れた枝であり、ｎは、1からＫまでの範囲のセル番号である。
【００２６】
従って、第１のセル（ｎ＝１）において、各分路は、第１の枝の発光ダイオードの陽極端子に接続され、第２の枝の発光ダイオードの陰極端子に接続され、ここで、第２の枝は、第１の枝から21個、或いは2個離れた枝である。例えば、図３によって示された配列のセル１０２において（セル１０２は、第１のセルであり、それ故ｎ＝１）、枝１０１（ａ）の発光ダイオード１１０の陽極端子は、分路１３０によって、２つ離れた枝である枝１０１（ｃ）の発光ダイオード１１２の陰極端子に結合される。分路１３０は、追加の発光ダイオード１２０を含む。
【００２７】
同様に、枝１０１（ｂ）の発光ダイオード１１１の陽極端子は、分路１３１によって、２つ離れた枝である枝１０１（ｄ）の発光ダイオード１１３の陰極端子に結合される。分路１３１は、追加の発光ダイオード１２１を含む。更に、図示されるように、各発光ダイオード１１２乃至１１７の陽極端子は、それぞれ分路１３２乃至１３７を経由して、２つ離れた枝である発光ダイオードの陰極端子に結合される。分路１３２乃至１３７は、発光ダイオード１２２乃至１２７をそれぞれ含む。
【００２８】
かかる実施態様において、第２のセル（ｎ＝２）において、各分路は、第１の枝の発光ダイオードの陽極端子に接続され、第２の枝の発光ダイオードの陰極端子に接続され、ここで、第２の枝は、第１の枝から22個、或いは4個離れている枝である。例えば、図３によって示された配列のセル１０３において（セル１０３は、第２のセルであり、それ故ｎ＝２）、枝１０１（ａ）の発光ダイオード１５０の陽極端子は、分路１７０によって、４つ離れた枝である枝１０１（ｅ）の発光ダイオード１５４の陰極端子に結合される。分路１７０は、追加の発光ダイオード１６０を含む。
【００２９】
同様に、枝１０１（ｂ）の発光ダイオード１５１の陽極端子は、分路１７１によって、４つ離れた枝である枝１０１（ｆ）の発光ダイオード１５５の陰極端子に結合される。分路１７１は、追加の発光ダイオード１６１を含む。更に、セル１０３の図で示されるように、各発光ダイオード１５２乃至１５７の陽極端子は、それぞれ分路１７２乃至１７７を経由して、４つ離れた枝である発光ダイオードの陰極端子に結合される。分路１７２乃至１７７は、発光ダイオード１６２乃至１６７をそれぞれ含む。
【００３０】
図３に示された配列によって接続された発光ダイオードは、枝全体が、開路故障モードにおいて、その枝の単一の発光ダイオードの故障に起因して消えないという理由により、高いレベルの信頼性を有する。代わりに、電流は、故障の発光ダイオードを迂回するため、分路１２０乃至１２７、及び分路１３０乃至１３７を経由して流れる。例えば、図３の発光ダイオード１１０が故障する場合、電流は依然として、発光ダイオード１５０に、枝１３２及び発光ダイオード１２２を経由して流れる（従って、照明している）。更に、枝１０１（ａ）からの電流は依然として、枝１０１（ｃ）に、分路１３０を経由して流れる。
【００３１】
更に、短絡故障モードにおいて、他の枝の発光ダイオード及び分路の発光ダイオードは、一の枝内の発光ダイオードの故障によって消えない。これは、発光ダイオードが平行に接続されていないためである。例えば、発光ダイオード１１０が短絡するとき、電流は、上側の枝１０１（ａ）を通って流れることになり、電圧の降下がなく、分路１３０の発光ダイオード１２０を通っても流れることになるだろう。発光ダイオード１２０は、それを通って流れる電流が、図２Ｂの配列において生じたのとは対照的に、微量だけしか減少しないので、照明されたままである。セル内の残りの発光ダイオードも、電流が枝１０１（ｂ）乃至枝１０１（ｈ）、及び対応する分路を経由しそれらを通って維持されるので、照明されたままである。
【００３２】
更に、発光ダイオードの配列１００は、先行技術の発光ダイオードの配列によって体験される他の問題点を軽減する。例えば、本発明の発光ダイオード配列１００は、一実施態様によると、配列内の全ての発光ダイオードが、厳密に整合された順電圧特性を有することを要することなく、同一の輝度を有することを保証する。例えば、図３に示す配列の発光ダイオード１１０乃至１１７、及び発光ダイオード１２０乃至１２７は、先行技術の発光ダイオードの順電圧特性の程には厳密に整合されていない順電圧特性を有してよい。これは、配列１００のセル１０２内の発光ダイオード１０２は、先行技術の配列と異なり、互いに平行でないためである。
【００３３】
各セル内の発光ダイオードは、平行に接続されていないので、ダイオードを横断した電圧降下が、同一である必要がない。それ故、各発光ダイオードの順電圧特性は、同様の照明量を提供するために他のものと同一である必要がない。他言すれば、より低い順電圧を有する発光ダイオードを通って流れる電流は、発光ダイオードの順電圧をその他の発光ダイオードのより高い順電圧と等しくするため、増加することがないだろう。厳密に整合された順電圧を備えた発光ダイオードを有する必要が無いので、本発明は、厳密に整合された電圧特性を備えた発光ダイオードを貯蔵する必要性を軽減する。
【００３４】
図４は、照明システムによって使用されているような、本発明のその他の実施態様による発光ダイオードの配列２００を示す。図４に示されるような配列は、発光ダイオードの連続セル２０２，２０３、及び２０４を図示する。前に注記したように、本発明の種々の実施態様によって、どんな数のセルであっても連続して互いに接続されてよい。
【００３５】
図３に示す配列と同様に、配列２００のそれぞれのセルは、Ｎの枝を含む。示された実施態様では、Ｎ＝８であり、配列２００は、枝２０１（ａ）乃至２０１（ｈ）として指示されるように、８個の枝を含む。枝２０１（ａ）乃至２０１（ｈ）は、最初に（すなわち、第１のセル２０１の前で）抵抗２０５（ａ）乃至２０５（ｈ）を経由して平行に結合されている。抵抗は、好ましくは、同一の抵抗値を有し、同一の電流量が各枝を経由して受け入れられることを保証する。電力供給源２４８は、発光ダイオードに電流を供給する。追加の抵抗２０６（ａ）乃至２０６（ｈ）は、配列２００においては、最後の発光ダイオードの陰極に使用される。
【００３６】
各枝は、再び、各セルにおいて、発光ダイオードを含む。例えば、枝２０１（ａ）は、第１のセル２０２において発光ダイオード２１０、第２のセル２０３において発光ダイオード２４０、及び第３のセル２０４において発光ダイオード２７０を含む。同様に、枝２０１（ｂ）乃至２０１（ｈ）は、第１のセル２０２において発光ダイオード２１１乃至２１７、第２のセル２０３において発光ダイオード２４１乃至２４７、及び第３のセル２０４において発光ダイオード２７１乃至２７７をそれぞれ含む。
【００３７】
各発光ダイオードの陽極端子は、異なる枝の対応する発光ダイオードの陰極端子に接続される。かかる接続は、一の実施態様によると、その他の発光ダイオードを含む分路によって同様になされる。セルに依存して、分路は、第１の枝から第２の枝に接続されるが、第２の枝は、第１の枝から特定可能な枝数だけ離れた枝である。図４に示す実施態様では、各分路は、第１の枝の発光ダイオードの陽極端子に接続され、第２の枝の発光ダイオードの陰極端子に接続され、第２の枝は、第１の枝から2ｎ-1個離れた枝であり、ｎは、1からＫまでの範囲のセル番号である。
【００３８】
従って、第１のセル（ｎ＝１）において、各分路は、第１の枝の発光ダイオードの陽極端子に接続され、第２の枝の発光ダイオードの陰極端子に接続され、ここで、第２の枝は、第１の枝から21-1個、或いは1個離れた枝である。例えば、図４によって示された配列のセル２０２において（セル２０２は、第１のセルであり、それ故ｎ＝１）、枝２０１（ａ）の発光ダイオード２１０の陽極端子は、分路２３０によって、１つ離れた枝である枝２０１（ｂ）の発光ダイオード２１１の陰極端子に結合される。分路２３０は、追加の発光ダイオード２２０を含む。
【００３９】
同様に、枝２０１（ｃ）の発光ダイオード２１２の陽極端子は、分路２３２によって、１つ離れた枝である枝２０１（ｄ）の発光ダイオード２１３の陰極端子に結合される。分路２３２は、追加の発光ダイオード２２２を含む。更に、２０２のような各セルに対して、各枝は、近傍の枝に結合する唯一の分路結合を含む。例えば、枝２０１（ｂ）は、分路２３１のみを含むにもかかわらず、枝２０１（ｃ）は、分路２３２のみを含み、以下同様である。
【００４０】
かかる実施態様において、第２のセル（ｎ＝２）において、各分路は、第１の枝の発光ダイオードの陽極端子に接続され、第２の枝の発光ダイオードの陰極端子に接続され、ここで、第２の枝は、第１の枝から22-1個、或いは2個離れている枝である。例えば、図４によって示された配列のセル２０３において（セル２０３は、第２のセルであり、それ故ｎ＝２）、枝２０１（ａ）の発光ダイオード２４０の陽極端子は、分路２６０によって、２つ離れた枝である枝２０１（ｃ）の発光ダイオード２４２の陰極端子に結合される。分路２６０は、追加の発光ダイオード２５０を含む。
【００４１】
同様に、枝２０１（ｅ）の発光ダイオード２４４の陽極端子は、分路２６４によって、２つ離れた枝である枝２０１（ｇ）の発光ダイオード２４６の陰極端子に結合される。分路２６４は、追加の発光ダイオード２５４を含む更に、セル２０３に対して、各枝は、近傍の枝に結合する唯一の分路結合を含む。例えば、枝２０１（ｂ）は、分路２６１のみを含むにもかかわらず、枝２０１（ｃ）は、分路２６２のみを含み、以下同様である。
【００４２】
かかる実施態様において、第３のセル（ｎ＝３）において、各分路は、第１の枝の発光ダイオードの陽極端子に接続され、第２の枝の発光ダイオードの陰極端子に接続され、ここで、第２の枝は、第１の枝から23-1個、或いは4個離れている枝である。例えば、図４によって示された配列のセル２０４において（セル２０４は、第３のセルであり、それ故ｎ＝３）、枝２０１（ａ）の発光ダイオード２７０の陽極端子は、分路２９０によって、４つ離れた枝である枝２０１（ｅ）の発光ダイオード２７４の陰極端子に結合される。分路２９０は、追加の発光ダイオード２８０を含む。
【００４３】
同様に、枝２０１（ｅ）の発光ダイオード２７４の陽極端子は、分路２９４によって、４つ離れた枝である枝２０１（ａ）の発光ダイオード２７０の陰極端子に結合される。分路２９４は、追加の発光ダイオード２８４を含む更に、セル２０４に対して、各枝は、近傍の枝に結合する唯一の分路結合を含む。例えば、枝２０１（ｂ）は、分路２９１のみを含むにもかかわらず、枝２０１（ｃ）は、分路２９２のみを含み、以下同様である。
【００４４】
図３に示されたデバイスに関連して前で議論されたように、図４に示した配列によって接続された発光ダイオードは、枝全体が、開路故障モードにおいて、その枝の単一の発光ダイオードの故障に起因して消えないという理由により、高いレベルの信頼性を有する。代わりに、電流は、故障の発光ダイオードを迂回するため分路を経由して流れる。例えば、図４の発光ダイオード２１０が故障する場合、電流は依然として、発光ダイオード２４０及び２７０に、枝２３１及び発光ダイオード２２１を経由して流れる（従って、照明している）。更に、枝２０１（ａ）からの電流は依然として、枝２０１（ｂ）に、分路２３０を経由して流れる。
【００４５】
更に、短絡故障モードにおいて、他の枝の発光ダイオード及び分路の発光ダイオードは、一の枝内の発光ダイオードの故障によって消えない。これは、発光ダイオードが平行に接続されていないためである。例えば、発光ダイオード２１０が短絡するとき、電流は、上側の枝２０１（ａ）を通って流れることになり、電圧の降下がなく、分路２３０の発光ダイオード２２０を通っても流れることになるだろう。発光ダイオード２２０は、それを通って流れる電流が、図２Ｂの配列において生じたのとは対照的に、微量だけしか減少しないので、照明されたままである。セル内の残りの発光ダイオードも、電流が枝２０１（ｂ）乃至枝２０１（ｈ）、及び対応する分路を経由しそれらを通って維持されるので、照明されたままである。
【００４６】
更に、発光ダイオードの配列２００は、先行技術の発光ダイオードの配列によって体験される他の問題点を軽減する。図３において示された実施態様に関連して議論された理由により、本発明の発光ダイオード配列２００は、配列内の全ての発光ダイオードが、厳密に整合された順電圧特性を有することを要することなく、同一の輝度を有することを保証する。
【００４７】
図５は、照明システムによって採用されるような、本発明による更にその他の実施態様による発光ダイオードの配列３００を示す。図５において示される配列は、発光ダイオードの連続セル３０２，３０３，３０４を示す。前に注記されたように、本発明の種々の実施態様により、どんな数のセルであっても、互いに連続して接続されてよい。更に以下で説明されるように、かかる実施態様において、各分路は、第１の枝の発光ダイオードの陽極端子に接続され、第２の枝の発光ダイオードの陰極端子に接続され、第２の枝は、第１の枝から2Ｋ-ｎ枝離れた枝であり、Ｋは構造におけるセルの数であり、ｎはセル番号である。
【００４８】
図３及び図４に示された配列と同様に、配列３００の各セルは、Ｎ個の枝を含む。示された実施態様では、Ｎ＝８であり、従って配列３００は、枝３０１（ａ）乃至３０１（ｈ）として指示されるように、８個の枝を含む。枝３０１（ａ）乃至３０１（ｈ）は、最初に（すなわち、第１のセル３０１の前で）抵抗３０５（ａ）乃至３０５（ｈ）を経由して平行にそれぞれ結合されている。抵抗は、好ましくは、同一の抵抗値を有し、同一の電流量が各枝を経由して受け入れられることを保証する。電力供給源３４８は、発光ダイオードに電流を供給する。追加の抵抗３０６（ａ）乃至３０６（ｈ）は、配列３００においては、最後の発光ダイオードの陰極で使用される。
【００４９】
各枝は、直列に接続された発光ダイオードを有する。（以下に詳細に説明されるが、結合用分路の発光ダイオードと共に）全ての枝の対応する発光ダイオードのセットは、セルを画成する。従って、枝３０１（ａ）は、第１のセル３０２において発光ダイオード３１０、第２のセル３０３において発光ダイオード３４０、及び第３のセル３０４において発光ダイオード３７０を含む。更に、枝３０１（ｂ）乃至３０１（ｈ）は、第１のセル３０２において発光ダイオード３１１乃至３１７、第２のセル３０３において発光ダイオード３４１乃至３４７、及び第３のセル３０４において発光ダイオード３７１乃至３７７をそれぞれ含む。
【００５０】
各発光ダイオードの陽極端子は、異なる枝の対応する発光ダイオードの陰極端子に接続される。かかる接続は、その他の発光ダイオードを含む分路によって同様になされる。セルに依存して、分路は、第１の枝から第２の枝に接続されるが、第２の枝は、第１の枝から特定可能な枝数だけ離れた枝である。前述されたように、各分路は、第１の枝の発光ダイオードの陽極端子に接続され、第２の枝の発光ダイオードの陰極端子に接続され、第２の枝は、第１の枝から2Ｋ-ｎ個離れた枝であり、Ｋは構造におけるセルの数であり、ｎはセル番号である。
【００５１】
従って、第１のセル（ｎ＝１）において、各分路は、第１の枝の発光ダイオードの陽極端子に接続され、第２の枝の発光ダイオードの陰極端子に接続され、ここで、第２の枝は、第１の枝から23-1個、或いは4個離れた枝である。例えば、図５によって示された配列のセル３０２において（セル３０２は、第１のセルであり、それ故ｎ＝１）、枝３０１（ａ）の発光ダイオード３１０の陽極端子は、分路３３０によって、４つ離れた枝である枝３０１（ｅ）の発光ダイオード３１４の陰極端子に結合される。分路３３０は、追加の発光ダイオード３２０を含む。
【００５２】
同様に、枝３０１（ｃ）の発光ダイオード３１２の陽極端子は、分路３３２によって、１つ離れた枝である枝３０１（ｇ）の発光ダイオード３１６の陰極端子に結合される。分路３３２は、追加の発光ダイオード３２２を含む。更に、各セル３０２に対して、各枝は、近傍の枝に結合する唯一の分路結合を含む。例えば、枝３０１（ｂ）は、分路３３１のみを含むにもかかわらず、枝３０１（ｃ）は、分路３３２のみを含み、以下同様である。
【００５３】
かかる実施態様において、第２のセル（ｎ＝２）において、各分路は、第１の枝の発光ダイオードの陽極端子に接続され、第２の枝の発光ダイオードの陰極端子に接続され、ここで、第２の枝は、第１の枝から23-2個、或いは2個離れている枝である。例えば、図５によって示された配列のセル３０３において（セル３０３は、第２のセルであり、それ故ｎ＝２）、枝３０１（ａ）の発光ダイオード３４０の陽極端子は、分路３６０によって、２つ離れた枝である枝３０１（ｂ）の発光ダイオード３７１の陰極端子に結合される。分路３６０は、追加の発光ダイオード３５０を含む。
【００５４】
同様に、枝３０１（ｅ）の発光ダイオード３４４の陽極端子は、分路３６４によって、２つ離れた枝である枝３０１（ｇ）の発光ダイオード３４６の陰極端子に結合される。分路３６４は、追加の発光ダイオード３５４を含む更に、セル３０３に対して、各枝は、近傍の枝に結合する唯一の分路結合を含む。例えば、枝３０１（ｂ）は、分路３６１のみを含むにもかかわらず、枝３０１（ｃ）は、分路３６２のみを含み、以下同様である。
【００５５】
かかる実施態様において、第３のセル（ｎ＝３）において、各分路は、第１の枝の発光ダイオードの陽極端子に接続され、第２の枝の発光ダイオードの陰極端子に接続され、ここで、第２の枝は、第１の枝から23-3個、或いは1個離れている枝である。例えば、図５によって示された配列のセル３０４において（セル３０４は、第３のセルであり、それ故ｎ＝３）、枝３０１（ａ）の発光ダイオード３７０の陽極端子は、分路３９０によって、１つ離れた枝である枝３０１（ｂ）の発光ダイオード３７１の陰極端子に結合される。分路３６０は、追加の発光ダイオード３８０を含む。
【００５６】
同様に、枝３０１（ｅ）の発光ダイオード３７４の陽極端子は、分路３９４によって、１つ離れた枝である枝３０１（ｆ）の発光ダイオード３７５の陰極端子に結合される。分路３９４は、追加の発光ダイオード３８４を含む更に、セル３０４に対して、各枝は、近傍の枝に結合する唯一の分路結合を含む。例えば、枝３０１（ｂ）は、分路３９１のみを含むにもかかわらず、枝３０１（ｃ）は、分路３９２のみを含み、以下同様である。
【００５７】
図３、及び図４に示されたデバイスに関連して前で議論されたように、図５に示した配列によって接続された発光ダイオードは、枝全体が、開路故障モードにおいて、その枝の単一の発光ダイオードの故障に起因して消えないという理由により、高いレベルの信頼性を有する。電流は、故障の発光ダイオードを迂回するため分路を経由して流れる。例えば、図５の発光ダイオード３１０が故障する場合、電流は依然として、発光ダイオード３４０及び３７０に、枝３３４及び発光ダイオード３２４を経由して流れる（従って、照明している）。更に、枝３０１（ａ）からの電流は依然として、枝３０１（ｅ）に、分路３３０を経由して流れる。
【００５８】
更に、短絡故障モードにおいて、他の枝の発光ダイオード及び分路は、一の枝内の発光ダイオードの故障によって消えない。これは、発光ダイオードが平行に接続されていないためである。例えば、発光ダイオード３１０が短絡するとき、電流は、上側の枝３０１（ａ）を通って流れることになり、電圧の降下がなく、分路３３０の発光ダイオード３２０を通っても流れることになるだろう。発光ダイオード３２０は、それを通って流れる電流が、図２Ｂの配列において生じたのとは対照的に、微量だけしか減少しないので、照明されたままである。セル内の残りの発光ダイオードも、電流が枝３０１（ｂ）乃至枝３０１（ｈ）、及び対応する分路を経由しそれらを通って維持されるので、照明されたままである。
【００５９】
更に、発光ダイオードの配列３００は、先行技術の発光ダイオードの配列によって体験される他の問題点を軽減する。図３、及び図４において示された実施態様に関連して議論された理由により、本発明の発光ダイオード配列３００は、配列内の全ての発光ダイオードが、厳密に整合された順電圧特性を有することを要することなく、同一の輝度を有することを保証する。
【００６０】
図６は、照明システムによって使用されているような、本発明のその他の実施態様による発光ダイオードの配列４００を示す。図６に示されるような配列は、発光ダイオードの連続セル４０２，４０３、及び４０４を図示する。本発明の種々の実施態様によって、どんな数のセルであっても連続して互いに接続されてよいことを注意されたい。
【００６１】
枝４０１（ａ）乃至４０１（ｈ）は、最初に（すなわち、第１のセルの前で）抵抗４０５（ａ）乃至４０５（ｈ）を経由して平行にそれぞれ結合されている。抵抗は、好ましくは、同一の抵抗値を有し、同一の電流量が各枝を経由して受け入れられることを保証する。電力供給源４４８は、発光ダイオードに電流を供給する。追加の抵抗４０５（ａ）乃至４０５（ｈ）は、配列４００においては、最後の発光ダイオードの陰極に使用される。
【００６２】
かかる実施態様において、配列４００の各セルは、Ｎの入力ノード端子、及びＮの出力ノード端子を含む。セルは連続した態様で接続されているので、第１のセルの出力ノード端子は、第２のセルの入力ノード端子に対応する。示された実施態様においては、Ｎ＝８であり、配列４００の各セルは、８個の入力ノード端子、及び８個のＮの出力ノード端子を含む。第１のセル４０２において、入力ノード端子は、入力ノード端子４０８（ａ）乃至４０８（ｈ）として指示され、出力ノード端子は、出力ノード端子４３８（ａ）乃至４３８（ｈ）として指示される。第２のセル４０３において、入力ノード端子は、入力ノード端子４３８（ａ）乃至４３８（ｈ）として指示され（すなわち、前のセルの出力ノードに対応している）、出力ノード端子は、出力ノード端子４６８（ａ）乃至４６８（ｈ）として指示される。最後に、第３のセル４０４において、入力ノード端子は、入力ノード端子４６８（ａ）乃至４６８（ｈ）として指示され（すなわち、同様に前のセルの出力ノードに対応している）、出力ノード端子は、出力ノード端子４９９（ａ）乃至４９９（ｈ）として指示される。
【００６３】
かかる実施態様によると、セルの各入力ノード端子は、２つの出力ノード端子に、電気的に伝導性のある枝を経由して、接続される。結果として、各出力ノード端子も、２つの入力ノード端子に、電気的に伝導性のある枝を経由して、接続されることになる。各セルにおいて、各枝は、発光ダイオードを含む。対応する発光ダイオードのセットは（以下に説明されるような結合用分路の発光ダイオードと共に）、セルを画成する。更に下方で議論されるように、全てのセルに対して、構造の上側半分における各入力ノード端子は、構造の下側半分における対応する入力ノード端子と共に、同一の出力ノード端子にそれぞれ接続される。
【００６４】
かかる実施態様では、第１のセル４０２では、構造の上側半分は、枝４０９（ａ）乃至４０９（ｄ）によって画成され、構造の下側半分は、枝４０９（ｅ）乃至４０９（ｈ）によって画成される。前述されたように、構造の上側半分の各入力ノード端子は、構造の下側半分における対応する入力ノード端子と共に、２つの同一の出力ノード端子に接続される。従って、例えば、上半分の第１の入力ノード端子、すなわち入力ノード端子４０８（ａ）、及び下半分の対応する第１の入力ノード端子４０８（ｅ）は、２つの同一の出力ノード端子、すなわち出力ノード端子４３８（ａ）、及び４３８（ｂ）に接続される。同様に、構造の上半分の第２の入力ノード端子と下半分の対応する第２の入力ノード端子、すなわち端子４０８（ｂ）、及び４０８（ｆ）は共に、２つの同一の出力ノード端子、すなわち出力ノード端子４３８（ｂ）、及び４３８（ｄ）に、接続され、以下同様である。
【００６５】
第２のセル４０３において、構造の上半分は、端子４３８（ａ）、４６８（ａ）乃至端子４３８（ｄ）、及び４６８（ｄ）によってそれぞれ画成され、一方、構造の下半分は、端子４３８（ｅ）、４６８（ｅ）乃至端子４３８（ｈ）、及び４６８（ｈ）によってそれぞれ画成される。第１のセルにおいてのように、構造の上半分の各入力ノード端子は、構造の下半分における対応する入力ノード端子と共に、２つの同一の出力ノード端子に接続される。従って、例えば、上半分の第１の入力ノード端子、すなわち入力ノード端子４３８（ａ）、及び下半分の対応する第１の入力ノード端子４３８（ｅ）は、２つの同一の出力ノード端子、すなわち出力ノード端子４６８（ａ）、及び４６８（ｃ）に接続される。同様に、構造の上半分と下半分の第２の入力ノード端子、すなわち入力ノード端子４３８（ｂ）、及び４３８（ｆ）は、２つの同一の出力ノード端子、すなわち出力ノード端子４６８（ｂ）、及び４６８（ｄ）に、接続され、以下同様である。
【００６６】
同様に、第３のセル４０４において、構造の上半分は、端子４６８（ａ）、４９９（ａ）乃至端子４６８（ｄ）、及び４９９（ｄ）によってそれぞれ画成され、一方、構造の下半分は、端子４６８（ｅ）、４９９（ｅ）乃至端子４６８（ｈ）、及び４９９（ｈ）によってそれぞれ画成される。第１のセルのように、構造の上半分の各入力ノード端子は、構造の下半分における対応する入力ノード端子と共に、２つの同一の出力ノード端子に接続される。従って、例えば、上半分の第１の入力ノード端子、すなわち入力ノード端子４６８（ａ）、及び下半分の対応する第１の入力ノード端子４６８（ｅ）は、２つの同一の出力ノード端子、すなわち出力ノード端子４９９（ａ）、及び４９９（ｅ）に接続される。同様に、構造の上半分と下半分の第２の入力ノード端子、すなわち入力ノード端子４６８（ｂ）、及び４６８（ｆ）は、２つの同一の出力ノード端子、すなわち出力ノード端子４９９（ｂ）、及び４９９（ｆ）に、接続され、以下同様である。
【００６７】
図３乃至図５に示されたデバイスに関連して前で議論されたように、図６に示した配列によって接続された発光ダイオードは、枝全体が、開路故障モードにおいて、その枝の単一の発光ダイオードの故障に起因して消えないという理由により、高いレベルの信頼性を有する。代わりに、電流は、故障の発光ダイオードを迂回するため分路を経由して流れる。例えば、図６の発光ダイオード４１０が故障する場合、電流は依然として、発光ダイオード４４０及び４７０に、枝４０９（ｅ）及び発光ダイオード４１４を経由して流れる（従って、照明している）。更に、枝４０１（ａ）からの電流は依然として、発光ダイオード４１４、及び４７１に、分路４３０を経由して流れる。
【００６８】
更に、短絡故障モードにおいて、他の枝の発光ダイオード及び分路の発光ダイオードは、一の枝内の発光ダイオードの故障によって消えない。これは、発光ダイオードが平行に接続されていないためである。例えば、発光ダイオード４１０が短絡するとき、電流は、上側の枝４０１（ａ）を通って流れることになり、電圧の降下がなく、分路４３０の発光ダイオード４２０を通っても流れることになるだろう。発光ダイオード４２０は、それを通って流れる電流が、図２Ｂの配列において生じたのとは対照的に、微量だけしか減少しないので、照明されたままである。セル内の残りの発光ダイオードも、電流が枝４０１（ｂ）乃至枝４０１（ｈ）、及び対応する分路を経由しそれらを通って維持されるので、照明されたままである。
【００６９】
更に、発光ダイオードの配列４００は、先行技術の発光ダイオードの配列によって体験される他の問題点を軽減する。図３乃至図５において示された実施態様に関連して議論された理由により、本発明の発光ダイオード配列４００は、配列内の全ての発光ダイオードが、厳密に整合された順電圧特性を有することを要することなく、同一の輝度を有することを保証する。
【００７０】
図７は、照明システムによって使用されているような、本発明の更なるその他の実施態様による発光ダイオードの配列５００を示す。図７に示されるような配列は、発光ダイオードの連続セル５０２，５０３、及び５０４を図示する。前に図示された実施態様のように、枝５０１（ａ）乃至５０１（ｈ）は、最初に（すなわち、第１のセルの前で）抵抗５０５（ａ）乃至５０５（ｈ）を経由して平行にそれぞれ結合されている。電力供給源５０４は、発光ダイオードに電流を供給する。追加の抵抗５０５（ａ）乃至５０５（ｈ）は、配列５００においては、最後の発光ダイオードの陰極に使用される。
【００７１】
図６により前に示されたように、配列５００の各セルは、Ｎの入力ノード端子、及びＮの出力ノード端子を含む。セルは連続した態様で接続されているので、第１のセルの出力ノード端子は、第２のセルの入力ノード端子に対応する。示された実施態様においては、Ｎ＝８であり、配列５００の各セルは、８個の入力ノード端子、及び８個のＮの出力ノード端子を含む。第１のセル５０２において、入力ノード端子は、入力ノード端子５０８（ａ）乃至５０８（ｈ）として指示され、出力ノード端子は、出力ノード端子５３８（ａ）乃至５３８（ｈ）として指示される。第２のセル５０３において、入力ノード端子は、入力ノード端子５３８（ａ）乃至５３８（ｈ）として指示され（すなわち、前のセルの出力ノードに対応している）、出力ノード端子は、出力ノード端子５６８（ａ）乃至５６８（ｈ）として指示される。最後に、第３のセル５０４において、入力ノード端子は、入力ノード端子５６８（ａ）乃至５６８（ｈ）として指示され（すなわち、同様に前のセルの出力ノードに対応している）、出力ノード端子は、出力ノード端子５９９（ａ）乃至５９９（ｈ）として指示される。
【００７２】
かかる実施態様によると、セルの各入力ノード端子は、２つの出力ノード端子に、電気的に伝導性のある枝を経由して、接続される。結果として、各出力ノード端子も、２つの入力ノード端子に、電気的に伝導性のある枝を経由して、接続されることになる。各セルにおいて、各枝は、発光ダイオードを含む。対応する発光ダイオードのセットは（以下に説明されるような結合用分路の発光ダイオードと共に）、セルを画成する。更に下方で議論されるように、全てのセルに対して、構造の上側半分における各出力ノード端子は、構造の下側半分における対応する出力ノード端子と共に、同一の入力ノード端子に接続される。
【００７３】
かかる実施態様では、第１のセル５０２では、構造の上側半分は、枝５０９（ａ）乃至５０９（ｄ）によって画成され、構造の下側半分は、枝５０９（ｅ）乃至５０９（ｈ）によって画成される。前述されたように、構造の上側半分の各出力ノード端子は、構造の下側半分における対応する出力ノード端子と共に、２つの同一の入力ノード端子に接続される。従って、例えば、上半分の第１の出力ノード端子、すなわち出力ノード端子５３８（ａ）、及び下半分の対応する出力ノード端子、すなわち出力ノード端子５３８（ｅ）は、２つの同一の入力ノード端子、すなわち入力ノード端子５０８（ａ）、及び５０８（ｅ）に接続される。同様に、構造の上半分の第２の出力ノード端子と下半分の対応する第２の出力ノード端子、すなわち端子５３８（ｂ）、及び５３８（ｆ）は共に、２つの同一の入力ノード端子、すなわち入力ノード端子５０８（ｂ）、及び５０８（ｆ）に、接続され、以下同様である。
【００７４】
第２のセル５０３において、構造の上半分は、端子５３８（ａ）、５６８（ａ）乃至端子５３８（ｄ）、及び５６８（ｄ）によってそれぞれ画成され、一方、構造の下半分は、端子５３８（ｅ）、５６８（ｅ）乃至端子５３８（ｈ）、及び５６８（ｈ）によってそれぞれ画成される。第１のセルにおいてのように、構造の上半分の各出力ノード端子は、構造の下半分における対応する出力ノード端子と共に、２つの同一の入力ノード端子に接続される。従って、例えば、上半分の第１の出力ノード端子、すなわち出力ノード端子５６８（ａ）、及び下半分の対応する出力ノード端子、すなわち出力ノード端子５６８（ｅ）は、２つの同一の出力ノード端子、すなわち入力ノード端子５３８（ａ）、及び５３８（ｃ）に接続される。同様に、構造の上半分と下半分の第２の出力ノード端子、すなわち出力ノード端子５６８（ｂ）、及び５６８（ｆ）は、２つの同一の入力ノード端子、すなわち入力ノード端子５３８（ｂ）、及び５３８（ｄ）に、接続され、以下同様である。
【００７５】
更に、第３のセル５０４において、構造の上半分は、端子５６８（ａ）、５９９（ａ）乃至端子５６８（ｄ）、及び５９９（ｄ）によってそれぞれ画成され、一方、構造の下半分は、端子５６８（ｅ）、５９９（ｅ）乃至端子５６８（ｈ）、及び５９９（ｈ）によってそれぞれ画成される。第１のセルのように、構造の上半分の各出力ノード端子は、構造の下半分における対応する出力ノード端子と共に、２つの同一の入力ノード端子に接続される。従って、例えば、上半分の第１の出力ノード端子、すなわち出力ノード端子５９９（ａ）、及び下半分の対応する出力ノード端子、すなわち出力ノード端子５９９（ｅ）は、２つの同一の入力ノード端子、すなわち入力ノード端子５６８（ａ）、及び５６８（ｂ）に接続される。同様に、構造の上半分と下半分の第２の出力ノード端子、すなわち出力ノード端子５９９（ｂ）、及び５９９（ｆ）は、２つの同一の入力ノード端子、すなわち入力ノード端子５６８（ｃ）、及び５６８（ｄ）に、接続され、以下同様である。
【００７６】
前に実施態様に関連して議論されたように、図７に示した配列によって接続された発光ダイオードは、枝全体が、開路故障モードにおいて、その枝の単一の発光ダイオードの故障に起因して消えないという理由により、高いレベルの信頼性を有する。代わりに、電流は、故障の発光ダイオードを迂回するため分路を経由して流れる。例えば、図７の発光ダイオード５１０が故障する場合、電流は依然として、発光ダイオード５４０及び５７０に、枝５０９（ｅ）及び発光ダイオード５１４を経由して流れる（従って、照明している）。更に、枝５０１（ａ）からの電流は依然として、発光ダイオード５４１に、分路５３０を経由して流れる。
【００７７】
更に、短絡故障モードにおいて、他の枝の発光ダイオード及び分路の発光ダイオードは、一の枝内の発光ダイオードの故障によって消えない。これは、発光ダイオードが平行に接続されていないためである。例えば、発光ダイオード５１０が短絡するとき、電流は、上側の枝５０１（ａ）を通って流れることになり、電圧の降下がなく、分路５３０の発光ダイオード５２０を通っても流れることになるだろう。発光ダイオード５２０は、それを通って流れる電流が、図２Ｂの配列において生じたのとは対照的に、微量だけしか減少しないので、照明されたままである。セル内の残りの発光ダイオードも、電流が枝５０１（ｂ）乃至枝５０１（ｈ）、及び対応する分路を経由しそれらを通って維持されるので、照明されたままである。
【００７８】
更に、発光ダイオードの配列５００は、先行技術の発光ダイオードの配列によって体験される他の問題点を軽減する。上記実施態様に関連して議論された理由により、本発明の発光ダイオード配列５００は、配列内の全ての発光ダイオードが、厳密に整合された順電圧特性を有することを要することなく、同一の輝度を有することを保証し、従って、貯蔵作業により必要とされる付加的な製造コスト、及び時間を低減することになる。
【００７９】
本発明の特定の実施態様について図示され説明されたが、当業者であれば本発明から逸脱することなく変更・修正をすることができることは、明らかであり、従って、請求の範囲が、本発明の真の精神及び観点の範囲内にあるすべての変更・修正を包含することは、理解されるべきである。
【図面の簡単な説明】
【図１】  先行技術の照明システムによって使用されるような発光ダイオードの一般的な配列を示す図である。
【図２Ａ】  先行技術の照明システムによって使用されるような発光ダイオードの一般的なその他の配列を示す図である。
【図２Ｂ】  先行技術の照明システムによって使用されるような発光ダイオードの一般的なその他の配列を示す図である。
【図３】  本発明の一実施態様による照明システムによって使用される発光ダイオードの配列を示す図である。
【図４】  本発明のその他の実施態様による照明システムによって使用される発光ダイオードの配列を示す図である。
【図５】  本発明の更にその他の実施態様による照明システムによって使用される発光ダイオードの配列を示す図である。
【図６】  本発明の更にその他の実施態様による照明システムによって使用される発光ダイオードの配列を示す図である。
【図７】  本発明の更にその他の実施態様による照明システムによって使用される発光ダイオードの配列を示す図である。
【図１】
0004908710.tif 000002
【図２Ａ】
0004908710.tif 000003
【図２Ｂ】
0004908710.tif 000004
【図３】
0004908710.tif 000005
【図４】
0004908710.tif 000006
【図５】
0004908710.tif 000007
【図６】
0004908710.tif 000008
【図７】
0004908710.tif 000009